【手続補正書】
【提出日】平成17年1月18日(2005.1.18)
【手続補正１】
【補正対象書類名】特許請求の範囲
【補正対象項目名】全文
【補正方法】変更
【補正の内容】
【特許請求の範囲】
【請求項１】
ウェブを処理する装置であって、
フレームと、
長手軸を中心にして回転するように、前記フレーム上に回転可能に支持されており、ウェブと接触する外表面を有するロールと、
このロールに移動可能に取り付けられており、前記ロールの前記外表面の内側にある第１位置と、前記ロールの前記外表面から突出して、前記外表面上のウェブに係合可能な第２位置との間を移動可能なウェブ係合部材を有するウェブ係合アセンブリと、
前記フレームに取り付けられた固定カムであって、
前記ウェブ係合アセンブリは、前記固定カムに係合して前記ウェブ係合部材を前記第１及び第２位置間で移動させることができるカムフォロワアセンブリを有する、固定カムと、
前記フレーム及び前記ロールに対して回転可能に取り付けられ、前記カムフォロワアセンブリに係合して前記カムフォロワアセンブリが前記固定カムと接触しないようにする第１部分と、前記カムフォロワアセンブリが前記固定カムと接触できるようにする第２部分とを有する、ロックアウトカムと、
このロックアウトカムを前記ロール及びカムフォロワアセンブリに対して移動させる手段であって、それにより前記ロックアウトカムの前記第１部分を前記カムフォロワアセンブリに対して係脱位置へ移動させることができる、移動させる手段と
を備えるウェブを処理する装置。
【請求項２】
前記ウェブ係合部材は、ウェブを突き刺すピンを有する請求項１に記載の装置。
【請求項３】
前記ウェブ係合部材は、ウェブを前記ロールの外表面から離れるように押すパッドを有する請求項１に記載の装置。
【請求項４】
前記ロールは、前記フレームに回転可能に取り付けられたジャーナルを有しており、前記ロックアウトカムは、前記ジャーナルに回転可能に取り付けられている請求項１に記載の装置。
【請求項５】
前記ロックアウトカムを移動させる前記手段は、サーボモータを有する請求項４に記載の装置。
【請求項６】
前記ロックアウトカムが、前記ジャーナルに回転可能に取り付けられたハブに取り付けられるとともに、
前記サーボモータと前記ハブとを連結して、前記ハブ及び前記ロックアウトカムを回転させるようにした駆動手段が設けられた請求項５に記載の装置。
【請求項７】
前記ロックアウトカムを移動させる前記手段は、前記ロールに駆動連結された差動装置と、この差動装置によって回転可能なシャフトと、このシャフトの速度を変化させるサーボ機構とを有する請求項１に記載の装置。
【請求項８】
前記ロックアウトカムが、前記ジャーナルに回転可能に取り付けられたハブに取り付けられるとともに、
前記シャフトと前記ハブとを連結して、前記ハブ及び前記ロックアウトカムを回転させるようにした駆動手段が設けられた請求項７に記載の装置。
【請求項９】
ウェブを処理する装置であって、
フレームと、
長手軸を中心にして回転するように、前記フレーム上に回転可能に支持されており、ウェブと接触する外表面を有するロールと、
このロールに移動可能に取り付けられており、移送ピン及びピンカムフォロワアセンブリを有し、前記移送ピンは、前記ロールの前記外表面の内側にある第１位置と、前記ロールの前記外表面から突出して、前記外表面上のウェブに係合可能な第２位置との間を移動可能である移送ピンアセンブリと、
前記ロールに移動可能に取り付けられており、移送パッド及びパッドカムフォロワアセンブリを有し、前記移送パッドは、前記ロールの前記外表面の内側にある第１位置と、前記ロールの外表面から突出して、前記外表面の上のウェブに係合可能な第２位置との間を移動可能である移送パッドアセンブリと、
前記フレームに取り付けられたピンカムであって、前記ピンカムフォロワアセンブリが前記ピンカムに係合して、前記移送ピンを前記第１及び第２位置間で移動させるようにする、ピンカムと、
前記フレームに取り付けられたパッドカムであって、前記パッドカムフォロワアセンブリが前記パッドカムに係合して、前記移送パッドを前記第１及び第２位置間で移動させるようにする、パッドカムと、
前記フレーム及び前記ロールに対して回転可能に取り付けられ、前記ピンカムフォロワアセンブリ及び前記パッドカムフォロワアセンブリに係合して、前記ピンカムフォロワアセンブリ及び前記パッドカムフォロワアセンブリがそれぞれ前記ピンカム及び前記パッドカムと接触しないようにする第１部分と、前記ピンカムフォロワアセンブリ及び前記パッドカムフォロワアセンブリがそれぞれ前記ピンカム及び前記パッドカムと接触できるようにする第２部分とを有する、ロックアウトカムと、
前記ロックアウトカムを前記ロールと前記ピンカムフォロワアセンブリ及び前記パッドカムフォロワアセンブリとに対して移動させる手段であって、それにより、前記ロックアウトカムの前記第１部分を前記ピンカムフォロワアセンブリ及び前記パッドカムフォロワアセンブリに対して係脱位置へ移動させることができる、移動させる手段と
を備えるウェブを処理する装置。
【請求項１０】
前記ロールは、前記フレームに回転可能に取り付けられたジャーナルを有しており、前記ロックアウトカムは、前記ジャーナルに回転可能に取り付けられている請求項７に記載の装置。
【請求項１１】
前記ロックアウトカムを移動させる前記手段は、サーボモータを有する請求項８に記載の装置。
【請求項１２】
前記ロックアウトカムが、前記ジャーナルに回転可能に取り付けられたブッシュに取り付けられるとともに、
前記サーボモータと前記ブッシュとを連結して、前記ブッシュ及び前記ロックアウトカムを回転させるようにした駆動手段が設けられた請求項９に記載の装置。
【請求項１３】
ウェブを処理する方法であって、
ウェブと接触する外表面を有するロールと、前記ロールに移動可能に取り付けられており、ウェブ係合部材及びカムフォロワアセンブリを有して、前記ウェブ係合部材が、前記ロールの前記外表面の内側にある第１位置と、前記ロールの前記外表面から突出して、前記外表面上のウェブに係合可能な第２位置との間を移動可能であるウェブ係合アセンブリとを回転可能に取り付けるステップと、
固定カムを設けるステップと、
前記ロールに対して回転するように、ロックアウトカムを回転可能に取り付けるステップであって、前記ロックアウトカムは、前記カムフォロワアセンブリに係合して前記カムフォロワアセンブリが前記固定カムと接触しないようにする第１部分と、前記カムフォロワアセンブリが前記固定カムと接触できるようにする第２部分とを有する、取り付けるステップと、
前記ロールを回転させてウェブを巻取るステップと、
前記ロックアウトカムを前記ロールと同一速度で回転させるステップであって、それにより前記ロックアウトカムの前記第１部分を前記カムフォロワアセンブリに係合させて、前記カムフォロワアセンブリが前記固定カムと接触しないようにする、回転させるステップと、
前記ロックアウトカムを前記ロールと異なった速度で回転させるステップであって、それにより前記ロックアウトカムの前記第２部分を前記カムフォロワアセンブリに整列させて、前記カムフォロワアセンブリを前記固定カムと接触させる、回転させるステップとを含むウェブを処理する方法。
【請求項１４】
前記ロックアウトカムを前記ロールと異なった速度で回転させるステップの後、前記ロックアウトカムを前記ロールと同一速度で回転させるステップであって、それにより前記ロックアウトカムの前記第１部分を前記カムフォロワアセンブリに整列させる、回転させるステップを含む請求項１３に記載の方法。
【請求項１５】
前記ロックアウトカムを回転させるようにサーボモータを使用するステップを含む請求項１３に記載の方法。
【請求項１６】
ウェブを処理する装置であって、
フレームと、
長手軸を中心にして回転するように、前記フレーム上に回転可能に支持されており、ウェブと接触する外表面を有するロールと、
このロールに回転可能に取り付けられており、前記ロールを越えて延出した端部を有するピンシャフトと、
このピンシャフトと共に回転するように前記ピンシャフトに取り付けられた少なくとも１つのピンと、
前記ロールに回転可能に取り付けられており、前記ロールを越えて延出した端部を有するパッドシャフトと、
このパッドシャフトと共に回転するように前記パッドシャフトに取り付けられた少なくとも１つのパッドと、
前記ピンシャフトの前記端部に連結され、前記ロールに対して前記ピンシャフトを回転させる手段と、
前記パッドシャフトの前記端部に連結され、前記ロールに対して前記パッドシャフトを回転させる手段と
を備えるウェブを処理する装置。
【請求項１７】
前記ピンシャフトを回転させる前記手段は、サーボモータを有する請求項１６に記載の装置。
【請求項１８】
前記ピンシャフトを回転させる前記手段は、前記ピンシャフトの前記端部上にカムフォロワを有し、前記パッドシャフトを回転させる前記手段は、前記パッドシャフトの前記端部上にカムフォロワを有する請求項１６に記載の装置。
【請求項１９】
前記ロールは、前記フレームに回転可能に取り付けられたジャーナルを有しており、
前記ピンシャフトを回転させる前記手段は、
前記ジャーナルに回転可能に取り付けられた第１ハブと、
前記ピンシャフトの前記端部を前記第１ハブに連結して、前記ピンシャフトを前記第１ハブと共に回転させる第１駆動手段と、
前記第１ハブを前記ロールに対して回転させる第２駆動手段と
を有しており、
前記パッドシャフトを回転させる前記手段は、
前記ジャーナルに回転可能に取り付けられた第２ハブと、
前記パッドシャフトの前記端部を前記第２ハブに連結して、前記パッドシャフトを前記第２ハブと共に回転させる第３駆動手段と、
前記第２ハブを前記ロールに対して回転させる第４駆動手段と
を有する請求項１６に記載の装置。
【請求項２０】
前記ロールは、前記フレームに回転可能に取り付けられたジャーナルを有しており、
前記ピンシャフトを回転させる前記手段は、前記ピンシャフトの前記端部上のカムフォロワと、前記ジャーナルに回転可能に取り付けられたピンカムとを含み、
前記パッドシャフトを回転させる前記手段は、前記パッドシャフトの前記端部上のカムフォロワと、前記ジャーナルに回転可能に取り付けられたパッドカムとを含み、さらに、前記ピンカム及び前記パッドカムを前記ロールに対して回転させる手段を有する請求項１６に記載の装置。
【請求項２１】
前記ジャーナルに回転可能に取り付けられたハブを備えており、前記ピンカム及び前記パッドカムは、前記ハブに取り付けられている請求項２０に記載の装置。